(57)【特許請求の範囲】
【請求項１】
地上開口部から地下通路が地下に向けて形成され、上記地上開口部の周囲に所定高さの壁板を略コ字状に立設配置し、対向する左右壁板により上記地下通路に向う入口通路が形成された地下入口の止水装置であって、
上記左右壁板の両側位置に上記壁板の後端部位置から上記入口通路に至る止水用係合杆を前後方向に各々設けると共に、上記両止水用係合杆の各前端に上記入口通路の地上面に至る左右両端設立柱を立設し、
上記左右両端設立柱の設置位置に対応する上記地上面の上記左右壁板間に左右方向凹溝を形成し、
後端縁を上記壁板の後端部に止水状態に固定した防水シートを、上記左右の止水用係合杆上に水平に張設すると共に、上記左右両端設立柱の前面に上記防水シートを垂直に張設し、かつ上記防止シートの前端縁を上記左右方向凹溝内に係止し得るように構成し、
上記左右の止水用係合杆間に位置する上記防水シートの左右側縁に押え杆を各々圧着固定することにより上記防水シートの水平面における上記左右側縁を止水状態に挟持し、
上記左右両端設立柱の前面に位置する上記防水シートの左右側縁に押え柱を各々圧着固定することにより上記防止シートの垂直面における上記左右両側縁を止水状態に挟持し、
上記左右方向凹溝内に位置する上記防水シートの上記前端縁に押え横杆を圧着することにより上記防水シートの上記前端縁を止水状態に挟持したものであることを特徴とする地下入口の止水装置。
【請求項２】
上記左右壁板及び上記左右方向凹溝内に各々補強ネットの係合ピンを連設し、
張設された上記防水シートの内面側において、補強ネットの左右側縁を上記係合ピンに係止することにより上記補強ネットを上記左右壁板間に水平に張設すると共に、上記左右両端設立柱の間に上記補強ネットを垂直に張設し、さらに上記補強ネットの前端縁を上記左右方向凹溝内の上記係合ピンに係止し得るように構成したものであることを特徴とする請求項１記載の地下入口の止水装置。
【請求項３】
上記壁板の後端部に上記防水シートがその後端縁を止水状態に固定された状態で折り畳まれて収納された防水シート収納部を設置し、
上記防水シートは上記防水シート収納部から上記入口通路側に引き出すことで、上記左右の止水用係合杆間及び上記左右両端設立柱間に張設可能に構成されたものであることを特徴とする請求項１又は２記載の地下入口の止水装置。
【請求項４】
上記壁板の後端部に上記補強ネットがその後端縁を固定された状態で折り畳まれて収納された補強ネット収納部を設置し、
上記補強ネットは上記補強ネット収納部から上記入口通路側に引き出すことで、上記左右の壁板間及び上記左右両端設立柱間に張設可能に構成されたものであることを特徴とする請求項２に記載の地下入口の止水装置。
【請求項５】
上記防水シートの左右側縁及び前端縁の止水構造は、上記防水シートの一方側に位置し上記防水シートの左右側縁又は前端縁に沿って直線状に位置する弾性体を具備する止水部材と、上記防水シートの他方側に位置し上記弾性体に圧着し得る突条を具備する押え部材とにより構成し、
上記止水部材の上記弾性体と上記押え部材の上記突条とによって上記防水シートの上記左右側縁又は前端縁を挟持した状態で、上記止水部材と上記押え部材とを締結手段により圧着するものであることを特徴とする請求項１〜４の何れかに記載の地下入口の止水装置。
【請求項６】
上記左右両端設立柱の上端部間に補強横杆を固定したものであることを特徴とする請求項１〜５の何れかに記載の地下入口の止水装置。
【請求項７】
上記左右壁板間の前後方向の複数箇所において、上記補強ネットの内側に、左右方向にワイヤを張設したものであることを特徴とする請求項２〜６の何れかに記載の地下入口の止水装置。
【発明の詳細な説明】
【技術分野】
【０００１】
本発明は洪水等の災害時に地下鉄や地下道への地下入口を地上開口部を含めて止水し、地下への水の流入を防止し得る地下入口の止水装置に関するものである。
【背景技術】
【０００２】
従来、構造物の入口両側壁に両端設立柱を設け、当該両端設立柱間の床面下に予め折り畳み収納していた防水シートを上方に引き上げて、当該防水シートの両側上縁を上記両端設立柱に係止することで上記両端設立柱間を当該防水シートで閉鎖し、かつ上記防水シートの両縁部に各々当て柱を押し当てることでシート両端縁部を上記両端設立柱と上記当て柱との間に止水状態に挟持し、当該防水シートによって通路外部から通路内部への水の流入を阻止し、洪水時等の当該通路内地下構造物等への流水を防止する通路止水装置が提案されている（特許文献１）。
【０００３】
また、洪水時等に地上に設置された地下鉄入口を防水板で閉鎖することで、地下鉄構内への流水を防止する防水板が提案されている（特許文献２）。
【先行技術文献】
【特許文献】
【０００４】
【特許文献１】特開２００５−２２６４１１号公報
【特許文献２】特開平７−２４７７６６号公報
【発明の概要】
【発明が解決しようとする課題】
【０００５】
ところで、上記特許文献記載の技術は、何れも、通路入口のみを止水するものであるため、地上に設置された地下鉄入口のように、地下入口の地上開口部の周囲にコ字状に壁板を構築した構造物においては、大規模洪水時等において水位が上昇してその壁板の高さ（例えば５ｍ）を超えるおそれがある。
【０００６】
よって、このような大規模な洪水等の場合においても止水対応が可能な止水装置の実現が望まれている。
【０００７】
本発明は上記従来の課題に鑑みてなされたものであり、地上に設置された地下鉄入口のような壁板に囲まれた地上開口部を有する構造物において、水位が壁板の高さを超えても地下への流水を防止し得る地下入口の止水装置を提供することを目的とする。
【課題を解決するための手段】
【０００８】
上記の目的を達成するため本発明は、
第１に、地上開口部から地下通路が地下に向けて形成され、上記地上開口部の周囲に所定高さの壁板を略コ字状に立設配置し、対向する左右壁板により上記地下通路に向う入口通路が形成された地下入口の止水装置であって、上記左右壁板の両側位置に上記壁板の後端部位置から上記入口通路に至る止水用係合杆を前後方向に各々設けると共に、上記両止水用係合杆の各前端に上記入口通路の地上面に至る左右両端設立柱を立設し、上記左右両端設立柱の設置位置に対応する上記地上面の上記左右壁板間に左右方向凹溝を形成し、後端縁を上記壁板の後端部に止水状態に固定した防水シートを、上記左右の止水用係合杆上に水平に張設すると共に、上記左右両端設立柱の前面に上記防水シートを垂直に張設し、かつ上記防水シートの前端縁を上記左右方向凹溝内に係止し得るように構成し、上記左右の止水用係合杆間に位置する上記防水シートの左右側縁に押え杆を各々圧着固定することにより上記防水シートの水平面における上記左右側縁を止水状態に挟持し、上記左右両端設立柱の前面に位置する上記防水シートの左右側縁に押え柱を各々圧着固定することにより上記防水シートの垂直面における上記左右両側縁を止水状態に挟持し、上記左右方向凹溝内に位置する上記防水シートの上記前端縁に押え横杆を圧着することにより上記防水シートの上記前端縁を止水状態に挟持したものであることを特徴とする地下入口の止水装置により構成される。
【０００９】
地下通路は例えば階段（４）であるが、スロープ等であっても良い。上記止水用係合杆が設けられる上記左右壁板の両側位置とは、例えば上記左右壁板（５，５）の対向面（５”，５”）における壁板上端部近傍の対向位置をいう。上記壁板の後端部位置とは、例えば壁板（５，５）における背面壁板（５ｃ）近傍の後端部位置（Ｑ）をいう。防水シートの後端縁を上記壁板の後端部に止水状態に固定するとは、例えば防水シート収納箱（１３）を用いる場合は、上記壁板（５）の後端部に位置する当該収納箱（１３）内の前端部に防水シート（１５）の後端縁（１５ａ）を止水状態に固定することをいい（図６参照）、上記収納箱（１３）を用いない場合は、上記防水シート（１０）の後端縁（１５ａ）を上記壁板（５）の後端部の例えば背面壁板（５ｃ）に止水状態で固定することをいう。止水状態に固定とは、防水シート（１５）の後端縁（１５ａ）を左右方向全域に渡り上記収納箱（１３）内又は上記壁板（５）の後端部に接着等することをいう。このように構成すると、地下入口の入口通路間の垂直面だけではなく、左右壁板間の水平面を防水シートによって止水状態に被覆することができるので、地下入口の壁板の高さを超える水位の大規模洪水等が発生したとしても、地下構内への流水を確実に防止することができる。
【００１０】
第２に、上記左右壁板及び上記左右方向凹溝内に各々補強ネットの係合ピンを連設し、張設された上記防水シートの内面側において、補強ネットの左右側縁を上記係合ピンに係止することにより上記補強ネットを上記左右壁板間に水平に張設すると共に、上記左右両端設立柱の間に上記補強ネットを垂直に張設し、さらに上記補強ネットの前端縁を上記左右方向凹溝内の上記係合ピンに係止し得るように構成したものであることを特徴とする上記第１記載の地下入口の止水装置により構成される。
【００１１】
防水シートの内面側とは、防水シートの水平面においては防水シートの下面側、防水シートの垂直面においては防水シートの後面側をいう。このように構成すると、防水シートの内側面に補強ネットが位置しているので、壁板間を水平に被覆する防水シート上に冠水しても、内側に位置する補強ネットにて水圧を受け止めることができ、高い防水性を発揮することができる。
【００１２】
第３に、上記壁板の後端部に上記防水シートがその後端縁を止水状態に固定された状態で折り畳まれて収納された防水シート収納部を設置し、上記防水シートは上記防水シート収納部から上記入口通路側に引き出すことで、上記左右の止水用係合杆間及び上記左右両端設立柱間に張設可能に構成されたものであることを特徴とする上記第１又は２記載の地下入口の止水装置により構成される。
【００１３】
上記壁板の後端部とは、例えば背面壁板（５ｃ）上の部分をいう。防水シート収納部は例えば防水シート収納箱（１３）をいう。このように構成すると、予め地下入口に防水シートを収納しておくことができ、地下入口において迅速に止水装置を構成することができる。
【００１４】
第４に、上記壁板の後端部に上記補強ネットがその後端縁を固定された状態で折り畳まれて収納された補強ネット収納部を設置し、上記補強ネットは上記補強ネット収納部から上記入口通路側に引き出すことで、上記左右の壁板間及び上記左右両端設立柱間に張設可能に構成されたものであることを特徴とする上記第２に記載の地下入口の止水装置により構成される
【００１５】
上記壁板の後端部とは、例えば左右の壁板（５）の後方の部分をいう。補強ネット収納部は例えば補強ネット収納箱（１０）をいう。このように構成すると、予め地下入口に補強ネットを収納しておくことができ、地下入口において迅速に止水装置を構成することができる。
【００１６】
第５に、上記防水シートの左右側縁及び前端縁の止水構造は、上記防水シートの一方側に位置し上記防水シートの左右側縁又は前端縁に沿って直線状に位置する弾性体を具備する止水部材と、上記防水シートの他方側に位置し上記弾性体に圧着し得る突条を具備する押え部材とにより構成し、上記止水部材の上記弾性体と上記押え部材の上記突条とによって上記防水シートの上記左右側縁又は前端縁を挟持した状態で、上記止水部材と上記押え部材とを締結手段により圧着するものであることを特徴とする上記第１〜４の何れかに記載の地下入口の止水装置により構成される。
【００１７】
上記防水シートの一方側とは例えば防水シートの裏面側、防水シートの他方側とは例えば防水シートの表面側をいう。上記止水部材は、止水用係合杆（１８）、左右両側設立柱（２５）、止水用係合横杆（３０）等をいう。上記押え部材は、押え杆（２２）、押え柱（２７ａ）、押え横杆（２７ｂ）等をいう。上記締結手段は例えばボルト（Ｂ）等をいう。上記突条は例えば横断面三角形状の止水用突条（２３）等をいう。このように構成すると、止水部材と押え部材との圧着により防水シートの各縁部を挟持して確実に止水することができる。
【００１８】
第６に、上記左右両端設立柱の上端部間に補強横杆を固定したものであることを特徴とする上記第１〜５の何れかに記載の地下入口の止水装置により構成される。
【００１９】
このように構成すると、防水シートの上記壁板間の水平張設面と上記左右両端設立柱間の垂直張設面との境界部に補強横間が位置するので、上記防水シートの水平及び垂直の張設面を補強することができる。
【００２０】
第７に、上記左右壁板間の前後方向の複数箇所において、上記補強ネットの内側に、左右方向にワイヤを張設したものであることを特徴とする上記第２〜６の何れかに記載の地下入口の止水装置により構成される。
【００２１】
上記補強ネットの内側とは、補強ネットの水平面においては補強ネットの下面側、補強ネットの垂直面においては補強ネットの後面側をいう。上記ワイヤは例えばステンレス鋼製のワイヤロープにより構成することができる。このように構成すると、ワイヤにて補強ネットを支持し得て、より大きな水圧にも十分に対応し得る止水装置を実現できる。
【発明の効果】
【００２２】
本発明は、上述のように、地下入口の入口通路間の垂直面だけではなく、左右壁板間の水平面を防水シートによって止水状態に被覆することができるので、地下入口の壁板の高さを超える高い水位の大規模洪水等が発生したとしても、地下構内への流水を確実に防止することができる。
【００２３】
また、防水シートの内側面に補強ネットが位置しているので、壁板間を水平に被覆する防水シート上に冠水したとしても、内側の補強ネットにて水圧を受け止めることができ、高い防水性を発揮することができる。
【００２４】
また、予め地下入口の所定位置に防水シート又は補強ネットを収納配置しておくことができ、地下入口において迅速に止水装置を構成することができる。
【００２５】
また、止水部材と押え部材との圧着により防水シートの側縁部を挟持して確実に止水することができる。
【００２６】
また、防水シートの上記壁板間の水平張設面と上記左右両端設立柱間の垂直張設面との境界部に補強横間が位置するので、上記防水シートの水平及び垂直の張設面を補強することができ、高い防水性を発揮し得る。
【００２７】
また、補強ネットの内側にワイヤを張設することで、より大きな水圧を受け止めることができ、極めて高い防水性を発揮することができる。
【図面の簡単な説明】
【００２８】
【図１】本発明に係る地下入口の止水装置を適用した地下入口の一部省略斜視図である。
【図２】同上装置を適用した地下入口の側面断面図である。
【図３】同上装置を適用した地下入口の平面図である。
【図４】同上装置を適用した地下入口の組み立て途中の一部省略斜視図である。
【図５】同上装置を適用した地下入口の組み立て途中の一部省略斜視図である。
【図６】同上装置を適用した地下入口の一部省略斜視図である。
【図７】同上装置を適用した地下入口における一方の止水係合部の横断面図であり、（ａ）は止水用係合杆と押え杆の結合状態、（ｂ）は押え杆を取り外した状態、（ｃ）は防水シートを挟持した状態を示す。
【図８】同上装置を適用した地下入口における左右方向凹溝の縦断面図であり、（ａ）は正面固定バーの嵌合状態、（ｂ）は正面固定バーを取り外した状態、（ｃ）は防水シートを挟持した状態を示す。
【図９】（ａ）は同上装置を適用した地下入口における左右両端設立柱の左設立柱の拡大正面図、（ｂ）は同上装置を適用した地下入口における補強柱の拡大正面図である。
【図１０】同上装置を適用した地下入口における同上左設立柱と押え柱の圧着状態を示す横断面図である。
【図１１】同上装置を適用した地下入口における止水構造を示す斜視図であり、（ａ）は左右両端設立柱と押え柱との結合関係、（ｂ）は止水用係合杆と押え杆との結合関係、（ｃ）は止水用係合杆と押え横杆との結合関係を示す図である。
【図１２】同上装置の正面固定バーの止水状態を示す同固定バーの一部拡大斜視図である。
【図１３】他の実施形態における地下入口の斜視図である。
【図１４】他の実施形態における止水装置の止水用係合部近傍の横断面図である。
【図１５】ワイヤを使用した場合の実施形態を示すものであり，（ａ）は止水用係合部近傍の概略横断面図、（ｂ）は左設立中近傍の横断面図である。
【発明を実施するための形態】
【００２９】
以下、本発明に係る地下入口の止水装置を詳細に説明する。
【００３０】
図１は本発明に係る地下入口の止水装置が適用された地下鉄、地下道等への地下入口１を示すものであり、当該地下入口１は、地面Ｇに開口され地下構内に連通する長方形の地上開口部２、上記地上開口部２の周囲に所定高さ（例えば５ｍ）に略コ字状に立設された壁板５、上記対向する左右壁板５，５により囲まれ、階段４により形成された地下通路Ｒに向う入口通路３により構成されている。尚、入口通路３における地面を地上面３’という。また、図１において入口通路３側を前方、背面壁板５ｃ側を後方、前方から後方を向いた場合の左右を左右方向とする。
【００３１】
上記壁板５は、上記入口通路３の両側に立設され門柱を形成する左門柱壁板５ａ、右門柱壁板５ｂと、壁板５の背面（後端部）を形成する背面壁板５ｃにより平面視略コ字状に構成されている。
【００３２】
上記左右門柱壁板（左右壁板）５ａ，５ｂの上面５’及び上記背面壁板５ｃの上面５’には、複数の小柱６が立設され、これら小柱６上に上記上面５’に平行に落下防止杆７が固定されている。
【００３３】
さらに、上記左右門柱壁板５ａ，５ｂの上面５’上には各々２本の大柱８が立設され、これら大柱８上に板状屋根９が、上記入口通路３上面から上記階段４の上方全体を覆うように設けられている（図２参照）。
【００３４】
上記左右門柱壁板５ａ，５ｂの後方側（上記壁板５の後端部）の対向面５”には左右方向全体に亘って補強ネット収納箱１０がその両端を以って固定されている。この補強ネット収納箱１０内には、図４、図５に示すように、入口通路３方向に引き出すことが可能な補強ネット１１が折り畳み状態で収納されている（図２参照）。この補強ネット１１はその後端縁１１ａが上記補強ネット収納箱１０内に固定されている。１０ａは上記補強ネット収納箱１０の開口蓋である。
【００３５】
この補強ネット１１は、上記収納箱１０から上記入口通路３側に引き出して、図５に示すように、その前端縁１１ｂを上記入口通路下端の左右方向凹溝１２内に係止し得るように構成されている（図８参照）。
【００３６】
この補強ネット１１は後述の防水シート１５の下側（内側）に位置して（図５参照）、防水シート１５上に冠水した場合に、当該水圧を受けて防水シート１５の裏面側を支持するものである。
【００３７】
この補強ネット１１は前後方向に長い長方形（方形）の帯状をなしており、後端縁１１ａは上記補強ネット収納箱１０の内面に固定され、図２に示すように、シグザグに折り畳まれた状態で当該収納箱１０内に収納されている。
【００３８】
この補強ネット１１は、一辺が約１００ｍｍの方形の網目から構成された樹脂製のネットであり、その横幅は後述の左右壁板５間の係合ピン１７ａ，１７ａ間の間隔Ｔ１（図３参照）と略同じ幅を有しており、その長手方向（前後方向）の長さは、図５に示すように、上記地上開口部２上の壁板５，５間により形成される開口部側水平止水面１４’全体を覆い、かつ、左右両端設立柱２５，２５間の通路側垂直止水面１４を覆い、その前端縁１１ｂを上記左右方向凹溝１２内に係止し得る長さを有している。尚、上記補強ネット１１の左右側縁１１ｃは、上記左右両端設立柱２５，２５の前面側は被覆せず、上記左右両端設立柱２５，２５の対向面間に位置するものである（図３、図５参照）。
【００３９】
上記補強ネット１１は、例えばポリエチレン製の無結節網を使用することができる。即ち、上記補強ネット１１は、ポリエチレン製の糸を寄り合わせて形成した直径約１０ｍｍの綱（ロープ）を使用して、方形の網目を有する無結節網を構成したものである（例えば１辺１００ｍｍの網目の１ｍ幅（綱１０本）の引張強力１２ｔｆ）。
【００４０】
上記補強ネット収納箱１０の後方側において、上記左右門柱壁板５ａ，５ｂの後端部（上記壁板５の後端部）の上面５’上には防水シート収納箱１３が、上記補強ネット収納箱１０の上段位置に固定されている。この防水シート収納箱１３内には、図５、図６に示すように、上記補強ネット１１の上方位置において、上記入口通路３方向に引き出すことが可能な防水シート１５が折り畳み状態で収納されている（図２参照）。この防水シート１５の後端縁１５ａは、上記収納箱１３内の開口部前端位置において、左右方向全域（図６のラインＰ１に沿うハッチング部分）に亘り止水状態に固定されている。尚、１３ａは上記防水シート収納箱１３の開口蓋である。
【００４１】
このように、上記防水シート１５を上記補強ネット１１の上側において上記入口通路３側に引き出して、図６に示すように、上記左右壁板５ａ，５ｂ間に張設すると共に、上記左右両端設立柱２５，２５間に張設し、その前端縁１５ｂを上記入口通路３下端の左右方向凹溝１２内に係止し得るように構成されている（図８参照）。
【００４２】
この防水シート１５は上記補強ネット１１の上側に位置して、洪水等において上記壁板５の高さより水位が上昇した場合に、地下構内への流水を防止するものである。この防水シート１５は全体が長方形（方形）の帯状をなしており、後端縁１５ａは上記収納箱１３の内面に左右方向幅全体に亘って止水状態に固定され、図２に示すように、シグザグに折り畳まれた状態で当該収納箱１３内に収納されている。
【００４３】
この防水シート１５は、その厚みが約１ｍｍの樹脂製シートから構成されており、その横幅は、上記左右門柱壁板５ａ，５ｂの対向面間の間隔Ｔ２（＞Ｔ１）の幅全体を被覆し得るように、上記間隔Ｔ２と略同じ幅を有しており（図３、図５参照）、その前端部における上記通路側垂直止水面１４に至る直前位置から前端縁１５ｂ側は、縦方向凹溝２６，２６における左右方向設立柱２５，２５の前面を被覆するため、上記設立柱２５，２５の前面間の間隔Ｔ３（＞Ｔ２）と同様の横幅の拡幅部１５ｄ（図５、図６における破線Ｎより前端縁１５ｂ側の部分）が形成されている（図５、図６）。
【００４４】
上記防水シート１５の長手方向は、図６に示すように、上記地上開口部２上の左右壁板５，５間の上記開口部側水平止水面１４’全体を覆い、かつ、通路側垂直止水面１４側の左右両端設立柱２５，２５間を被覆可能で、その前端縁１５ｂを上記左右方向凹溝１２内に係止し得る長さを有している。また、この防水シート１５の左右側縁１５ｃ，１５ｃ、
前端縁１５ｂに沿って所定間隔毎にハトメ２４（貫通孔）が複数箇所形成されている（図５参照）。
【００４５】
次に、上記補強ネット１１と上記防水シート１５の上記壁板５及び左右方向凹溝１２等への係合構造（止水構造）について説明する。
【００４６】
図７に示すように左右門柱壁板５，５の上端部近傍の対向面５”の両側対向位置には、上記補強ネット１１及び防水シート１５の左右側縁を止水状態に係止するための止水用係合部１６が構成されている。尚、ここでは図７により左門柱壁板５ａに設けられた止水用係合部１６を説明するが、右門柱壁板５ｂの対向面５”にも左右対称位置に左右対称構造の止水用係合部１６が設けられている（図５参照）。
【００４７】
この止水用係止部１６は、係合杆１６’と、当該係合杆１６’上の止水用係合杆１８と、押え杆２２とから構成されており、上記係合杆１６’と上記止水用係合杆１８は、上記左右門柱壁板５ａ，５ｂの対向面５”の上端部位置において、上記入口通路３における上記階段４の始端部位置から上記左右門柱壁板５ａ，５ｂの後端部の上記防水シート収納箱１３の前端の位置（上記左右壁板の後端部位置Ｑ）に至るまで前後方向に連続的にかつ直線的に水平に設けられている（図４参照）。
【００４８】
この止水用係止部１６は（図７参照）、取付垂直面１６ａが上記対向面５”にボルトＢによって固定された前後方向に長い棒状の上記係合杆１６’を具備しており、この係合杆１６’の上面に一定間隔で上記補強ネット１１の係合ピン１７ａが上に向けて設けられている（図４参照）。尚、図７中１６ｂは上記係合杆１６’の内面閉鎖蓋であり、支点１６ｂ’を中心に開くことにより、上記係合ピン１７ａを露出させるものである。
【００４９】
従って、図７（ｂ）に示すように、上記内面閉鎖蓋１６ｂを開いて上記係合ピン１７ａを露出させ、上記補強ネット１１の左右側縁１１ｃの網目を上記係合ピン１７ａに挿入係合することで、上記補強ネット１１を左右の上記係合杆１６’，１６’間の上記開口部２上に張設するものである（図４参照）。
【００５０】
また、上記係合杆１６’の上面１６”には、上記止水用係合杆１８が固定されている。この止水用係合杆１８は、上記係合杆１６’と同じ長さを有しており、上記係合杆１６’の上面全体に前後方向に設けられている（図４参照）。
【００５１】
上記止水用係合杆１８の上面１８’には前後方向の凹溝１９がその前後方向の全域に亘り凹設されており、当該凹溝１９内全域には止水用の弾性体２０が嵌合取着されている（図７、図１１（ｂ）参照）。さらに、上記止水用係合杆１８の上面１８’における上記凹溝１９の外側には、一定間隔で防水シート１１の上記ハトメ２４を係合するための係合ピン２１が上向きに突出形成されている（図１１（ｂ）参照）。この係合ピン２１は筒状を成しており、内部に後述のボルトＢを螺合するための雌螺子（螺子孔）２１ａが形成されている。従って、図７（ｂ），（ｃ）に示すように、上記防水シート１５の左右側縁１５ｃのハトメ２４を左右の上記係合ピン２１に挿入係合することで上記防水シート１５を上記開口部２上に張設し得るように構成している（図５参照）。
【００５２】
上記止水用係合杆１８の上面１８’は、通常は複数の押え杆２２で被覆されている（図１参照）。この押え杆２２は、図４に示すように複数の短い押え杆２２を前後方向に途切れなく連結することで、上記止水用係合杆１８の上面１８’全体を被覆するものである。
【００５３】
上記単一の押え杆２２には上記止水用係合杆１８上に載置した状態において、上記凹溝１９内の弾性体２０に圧着する横断面三角形状の止水用突条２３が前後方向に直線的に突設されており（図７、図１１（ｂ））、また、上記係合ピン２１の対応位置には、上記係合ピン２１の螺子孔２１ａに連通する貫通孔２９が設けられている。従って、図７（ｂ）のように防水シート１５のハトメ２４を上記係合ピン２１に係合した状態で、上記押え杆２２を上記止水用係合杆１８上に圧着し、上記貫通孔２９よりボルトＢを挿入して上記係合ピン２１に螺合することにより、上記防水シート１５の左右側縁１５ｃを挟持した状態で、上記止水用突条２３を上記弾性体２０に圧接し（図７（ｃ））、かかる状態で上記止水用係合杆１８上に圧着固定し得るように構成されている。また、同時に上記止水用係合杆１８上面１８’と上記押え杆２２下面が圧着することで上記防水シート１５の左右側縁１５ｃを止水状態に挟持する。
【００５４】
上記左右の上記止水用係合部１６の前端部は外側方向に拡副されており、拡幅後の左右の前端部に連続して、各々垂直方向の左右両端設立柱２５，２５が設けられている（図１参照）。この左右両端設立柱２５，２５は、上記入口通路３の左右方向凹溝１２の両端部から上方に立設固定されている。この左右両端設立柱２５，２５は上記左右門柱壁板５ａ，５ｂの対向面５”に設けられた縦方向凹溝２６，２６（図３参照）の内部に位置するように設けられており、その前面側には後述の正面固定バー２７の押え柱２７ａ，２７ａを挿入係合するための空間Ｓ１，Ｓ１が設けられている（図３参照）。
【００５５】
上記左右両端設立柱２５，２５の前面には、図９（ａ）に示すように、上下方向の凹溝４０が直線的に設けられており、当該凹溝４０内全域には弾性体４１が嵌合取着されている（図１２参照）。上記左右両端設立柱２５，２５の前面には、上記正面固定バー２７の左右の押え柱２７ａ，２７ａが圧着状態で固定される（図１０、図１１（ａ）、図１２参照）。この押え柱２７ａ，２７ａの後面には上記弾性体４１に圧着する横断面三角形状の止水用突条４２が上下方向全体に突設されており、上記止水用突条４２によって、上記通路側垂直止水面１４に張設された防水シート１５の左右側縁１５ｃの上下方向の全域を止水状態とするものである（図１０、図１２参照）。
【００５６】
上記正面固定バー２７は、上記左右方向凹溝１２及び上記空間Ｓ１，Ｓ１により形成される凹状空間に嵌合され、上記押え柱２７ａ，２７ａの上端部から前端の上記押え杆２２の前面の螺子孔２２ａにボルトＢを挿通することで、上記左右両端設立柱２５，２５の前面に圧着固定される（図４参照）。上記押え柱２７ａ，２７ａの下端２７ａ’，２７ａ’は、押え横杆２７ｂの両端に設けられた嵌合凹部５０，５０内に嵌合挿入されており（図４、図１２参照）、その状態で上記上端部が上記ボルトＢにて上記押え杆２２に締結されることで、その後面全体が防水シート１５の左右側縁１５ｃを挟持した状態で上記両端設立柱２５，２５の前面全体に圧着状態となり、上記通路用垂直止水面１４における上記防止シート１５の左右側縁１５ｃの上下方向全域に亘って止水状態とすることができる（図８（ｃ）、図１０、図１２参照）
【００５７】
図８に示すように、上記通路用垂直止水面１４の左右方向凹溝１２は地面Ｇより一段低く凹設されており、該左右方向凹溝１２内には、上記補強ネット１１の係合ピン４３が左右方向に複数個ボルトＢにて連設固定されている（図４参照）。この係合ピン４３には前方（水平方向）に突出するピン４３’が形成されており、上記垂直方向に張設された補強ネット１１の前端縁１１ｂの網目を当該ピン４３’に係止する（図８（ｃ）参照）。
【００５８】
さらに、上記左右方向凹溝１２内において、上記係合ピン４３の前方側には、上記凹溝１２の左右方向全体に止水用係合横杆３０が固定されている。上記止水用係合横杆３０の上面３０’には左右方向の凹溝３１が左右横幅全域に凹設されており、当該凹溝３１内全域には止水用の弾性体３２が嵌合取着されている。さらに、上記止水用係合横杆３０の上面３０’における上記凹溝３１の前方には、一定間隔で防水シート１５の前端縁１５ｂのハトメ２４を係合するための係合ピン３３が上向きに突出形成されている。
【００５９】
この係合ピン３３は筒状を成しており、内部に後述のボルトＢを螺合するための雌螺子（螺子孔）３３ａが形成されている。従って、図８（ｂ）に示すように、上記防水シート１５の前端縁１５ｂを水平方向前方に折り曲げ、そのハトメ２４を上記係合ピン３３に挿入係合することで上記防水シート１１前端縁を上記左右方向凹溝１２内に固定し得るように構成している。
【００６０】
上記止水用係合横杆３０の上面３０’には、上記正面固定バー２７の押え横杆２７ｂが圧着固定される（図８（ｃ））。この押え横杆２７ｂは、上記正面固定バー２７の上記押え柱２７ａ，２７ａの下端を連結するものである。この押え横杆２７ｂの下面には、上記左右方向凹溝１２内の上記止水用係合横杆３０上に圧着した状態において、上記凹溝３１内の弾性体３２に圧着する横断面三角形状の止水用突条３５が左右方向の全幅に亘って直線的に突設されており、該止水用突条３５の前方側には、上記係合ピン３３の螺子孔３３ａに連通する複数の貫通孔３６が設けられている（図１１（ｃ）参照）。
【００６１】
従って、図８（ｂ）のように防水シート１５の前端縁１５ｂを水平前方に折り曲げて、そのハトメ２４を上記係合ピン３３に係合した状態で、上記正面固定バー２７の押え横杆２７ｂを上記左右方向溝１２内に嵌合して上記止水用係合横杆３０上に圧着し、上記貫通孔３６よりボルトＢを挿入して上記係合ピン３３に螺合することにより、上記防水シート１５の前端縁１５ｂの左右方向全域を挟持した状態で、上記止水用突条３５を上記弾性体３２に圧接し、これにより上記前端縁１５ｂの左右方向全域に亘り止水状態（図８（ｃ））とすることができ、この状態で上記止水用係合横杆３０上に圧着固定し得るように構成されている（図１１（ｃ）、図１２参照）。また、同時に上記止水用係合横杆３０上面３０’と上記押え横杆２７ｂ下面が圧着することで上記防水シート１５の前端縁１５ｂを止水状態に挟持する。
【００６２】
上記正面固定バー２７は、図４に示すように、上記押え横杆２７ｂの両端部に形成された嵌合凹部５０，５０に上記押え柱２７ａ，２７ａの下端部を嵌合しボルト等にて固定することにより、上記両端部に上記押え柱２７ａ，２７ａを立設し、全体を凹形状に構成することができる。上記正面固定バー２７は、この凹形状に組んだ後、上記左右方向凹溝１２及び上記空間Ｓ１，Ｓ１内に嵌合固定することができる。
【００６３】
図４に示すように、上記通路側垂直止水面１４において、上記左右両端設立柱２５，２５間の中央部には、補強柱４５が立設固定され、上記左右両端設立柱２５，２５の上端部、上記補強柱４５の上端部には補強横杆４６が嵌合固定される。上記補強柱４５は筒状を成しており、上記左右方向溝１２の中央部に突設された突出部４７に下端を嵌合することで立設固定される（図９（ｂ））。上記補強横杆４６の両端部４６’は、上記左右両端設立柱２５，２５の上端部のコ字状突片２５ａ，２５ａ上に載置され（図９（ａ））、その中央部下面に設けられた凹部４６ａ内に上記補強柱４５の上端突部４５ａを嵌合することで、上記左右両端設立柱２５，２５及び補強柱４５上に固定される（図９（ａ）（ｂ））。
【００６４】
上記防水シート収納箱１３の後方側の上記壁板５の背面壁板５ｃ上には柱収納箱３７が設けられている。この柱収納箱３７内には、上記補強柱４５、上記補強横杆４６、上記正面固定バー２７の押え柱２７ａ（２本）、上記正面固定バー２７の押え横杆２７ｂが収納されている。
【００６５】
また、左右方向凹溝１２の上面開口は通常は蓋体４７にて閉鎖され、上記蓋体４７が上記通路３の地上面３’と面一となっており、歩行に支障を来たさないように構成されている。
【００６６】
本発明の地下入口の止水装置は上述のように構成されるものであり、次に、本装置の機能について説明する。
【００６７】
通常時は、図１に示すように、左右方向凹溝１２上は上記蓋体４７により覆われており、左右門柱壁板５ａ，５ｂにおける止水用係合杆１８，１８上には全体に複数の押え杆２２がボルトＢにより固定された状態となっており、左右方向凹溝１２内部は勿論、止水用係合杆１８，１８の係合ピン１７ａ，２１、弾性体２０は上記押え杆２２により被覆された状態（図７（ａ）、図８（ａ）の状態）となっている。
【００６８】
かかる状態から地下入口の止水装置を構成するには、まず、柱収納箱３７を開いて、内部から、正面固定バー２７の２本の押え柱２７ａ，２７ａ、押え横杆２７ｂ、補強柱４５、補強横杆４６を取り出し、図４に示すように、蓋体４７を取り外して左右方向凹溝１２内の中央部に補強柱４５を立設固定し、該補強柱４５の上端、及び上記左右両端設立柱２５，２５の上端部に上記補強横杆４６を固定して通路側垂直止水面１４の骨格を構成する。尚、上記押え横杆２７ｂの両端部に押え柱２７ａ，２７ａを固定して凹形状の正面固定バー２７を構成しておく。
【００６９】
また、図４に示すように、各押え杆２２上のボルトＢを外して、上記複数の押え杆２２を止水用係合杆１８から一旦全て取り外しておく。さらに、左右の係合杆１６’の内面閉鎖蓋１６ｂ，１６ｂを開いて全ての係合ピン１７ａを露出しておく。
【００７０】
次に、補強ネット収納箱１０を開いて内部から補強ネット１１を取り出し、前方に引き出して上記左右壁板５，５間の上記地上開口部２全域（開口部側水平止水面１４’）を水平に被覆すると共に、さらに前方に引き出して、上記補強横杆４６より垂直下方に方向転換して下方側に引き出して行き、その前端縁１１ｂの網目を上記左右方向凹溝１２内のピン４３’（４箇所）に係合する（図５、図８（ｂ）参照）。その後、地上開口部２上に水平に引き出された上記補強ネット１１の左右両側縁１１ｃ，１１ｃの網目を上記係合杆１６’，１６’の上記複数の係合ピン１７ａに各々係合する。本実施形態では左右方向各々６箇所（左右計１２箇所）の係合ピン１７ａに上記補強ネット１１の左右側縁１１ｃの網目を係合する。これにより、図５に示すように左右壁板５，５間の開口部側水平止水面１４’及び通路側垂直止水面１４に上記補強ネットを張設することができた。尚、上記垂直止水面１４においては、上記補強ネット１１は上記補強横杆４６と上記ピン４３’との間に張設された状態となる。
【００７１】
次に、防水シート収納箱１３を開いて内部から防水シート１５を取り出し、上記補強ネット１１上面側において、前方に引き出して行き、左右の上記止水用係合杆１８，１８上を被覆して地上開口部２上の開口部側水平止水面１４’を閉鎖していくと共に、さらに前方に引き出して、上記補強横杆４６より垂直下方に方向転換して下方側に引き出して行き、前端の拡幅部１５ｄによって左右両端設立柱２５，２５の前面側を被覆して、左右方向凹溝１２内において、その前端縁１５ｂを水平前方に若干折り曲げて、上記前端縁１５ｂのハトメ２４（４箇所）を４本の係合ピン３３に各々係合する（図６、図８（ｂ）参照）。
【００７２】
その後、上記水平に引き出された上記防水シート１５の左右側縁１５ｃ，１５ｃの複数のハトメ２４を上記止水用係合杆１８，１８の対応する位置の上記係合ピン２１に挿入係合する。本実施形態では左右方向各々１１箇所（左右計２２箇所）の係合ピン２１に上記防水シート１５のハトメ２４を係合する（図７（ｂ）（ｃ））。
【００７３】
その後、上記左右の全ての押え杆２２を左右の上記止水用係合杆１８，１８上に圧着固定する。即ち、上記複数の押え杆２２を、上記止水用係合杆１８上に各々圧着し、止水用突条２３と上記弾性体２０との間に上記防水シート１５の左右側縁１５ｃを挟持した図８（ｃ）に示す状態で、ボルトＢを貫通孔２９から上記係合ピン２１の螺子孔２１ａに螺合し、これにより防水シート１５を挟んで上記押え杆２２を上記止水用係合杆１８に圧着固定する。かかる構成により、上記開口側水平止水面１４’を被覆する防水シート１５の左右側縁１５ｃを前後方向の全域に亘って止水状態とすることができる。また、上記止水用係合杆１８上に上記押え杆２２を固定したとき、図８に示すように、係合ピン１７ａの上端位置に上記押え杆２２の下面が近接するため、上記補強用ネット１１が抜け止め固定される。
【００７４】
次に、上記正面固定バー２７を上記左右方向凹溝１２及び左右両端設立柱２５，２５の前方の縦方向凹溝２６，２６の空間Ｓ１，Ｓ１に嵌合挿入する。まず、上記正面固定バー２７の押え横杆２７ｂを上記左右方向凹溝１２内に嵌合する。即ち、図８（ｃ）に示すように、上記押え横杆２７ｂを上記止水用係合横杆３０上に圧着し、止水用突条３５と上記弾性体３２との間に上記防水シート１５の前端縁１５ｂを挟持した図８（ｃ）に示す状態で、ボルトＢを貫通孔３６から上記係合ピン３３の螺子孔３３ａに螺合し、これにより防水シート１５の前端縁１５ｂを挟んで上記押え横杆２７ｂを上記止水用係合横杆３０上に圧着する。かかる構成により、上記通路側垂直止水面１４を被覆する防水シート１５の前端縁１５ｂを上記左右方向凹溝１２の左右方向の全域に亘って止水状態とすることができる。
【００７５】
さらに上記正面固定バー２７の上記嵌合固定状態において、上記正面固定バー２７の左右の押え柱２７ａ，２７ａは各々上記空間Ｓ１，Ｓ１内に挿入嵌合されており、図１０に示すように、上記押え柱２７ａ，２７ａは上記左右両端設立柱２５，２５の前面に圧着し、止水用突条４２と上記弾性体４１との間に上記防水シート１５の左右側縁１５ｃ，１５ｃを挟持した状態となっている。この状態において、上記押え柱２７ａ，２７ａの上端部前方からボルトＢを上記前端の押え杆２２の前面の螺子孔２２ａ（図９（ａ））に螺子込むことで、上記押え柱２７ａ，２７ａを各々上記左右両端設立柱２５，２５に圧着し（図５）、これにより防水シート１５の垂直面における左右側縁１５ｃ，１５ｃを挟んで上記押え柱２７ａ，２７ａを上記左右両端設立柱２５，２５に圧着固定することができる。かかる構成により、上記通路側垂直止水面１４を被覆する防水シート１５の左右側縁１５ｃの上下方向全域に亘って止水状態とすることができる。上記防水シート１５は上記垂直止水面１４においては、上記補強横杆４６、押え柱２７ａ，２７ａ、押え横杆２７ｂの間に張設された状態となる。
【００７６】
以上の構成により、図６に示すように、地下入口における上記左右門柱壁板５ａ，５ｂ間の開口部側水平止水面１４’全体及び入口通路３を形成する左右両端設立柱２５，２５間の通路側垂直止水面１４全体を１枚の防水シート１５によって止水状態に被覆することができる。
【００７７】
この被覆状態においては、図６に一点鎖線で示すように、防水シート１５の側縁全周、即ち、上記防水シート１５の後端縁１５ａは上記防水シート収納箱１０内において止水状態に固定されており（ラインＰ１部分）、上記防水シート１５の左右側縁１５ｃ，１５ｃは上記左右の止水用係合部１６，１６の押え杆２２によって左右のラインＰ２，Ｐ２部分にて前後方向全域に亘って止水されており、さらに防水シート１５の左右側縁１５ｃ，１５ｃは上記左右両端設立柱２５，２５間の垂直部分においては押え柱２７ａ，２７ａによって左右のラインＰ３，Ｐ３部分にて止水されており、さらに防水シート１５の前端縁１５ｂは、上記押え横杆２７ｂによって左右方向の全域に亘ってラインＰ４部分にて止水されており、このように防水シート１５の周縁部の全周は、ラインＰ１，Ｐ２，Ｐ３，Ｐ４に亘って途切れることなく止水された状態となる。
【００７８】
従って、洪水等が発生して、上記地下入口１付近の水位が上昇しても、地下構内への階段４の前方の通路側垂直止水面１４において、防水シート１５により地下への流水を確実に防止することができる。
【００７９】
また、上記水位が上昇して当該水位が地下入口１の地上開口部２の周囲の壁板５の高さを超えたとしても、上記壁板５間の上端部の開口部全体が上記防水シート１５により止水状態で水平に被覆されているので、地下への流水を確実に防止することができる。
【００８０】
また、上記防水シート１５の内側の略全域には補強ネット１１が張設されているので、上記開口部側水平止水面１４’の防水シート１５上に作用する水圧を内側の上記補強ネット１１により支持することができ、高い防水性を発揮することができる。
【００８１】
また、通路側垂直止水面１４においても、上記防水シート１５の内側には補強ネット１１が張設されているので、上記通路側垂直止水面１４側において防水シート１５に作用する水圧を上記補強ネット１１により支持することができ、高い防水性を発揮することができる。
【００８２】
尚、防水シート収納箱１３、補強ネット収納箱１０を用いない場合は、現場に防水シート１５、補強ネット１１を持ち込み、防水シート１５の後端縁１５ａを壁板５の後端部の背面壁板５ｃの上面５’上において、上記止水用係合杆１８と押え杆２２と同様の構造により左右方向全域に亘って止水状態に固定し、かつ上記背面壁板５ｃに係合ピン１７ａを連設し、上記補強ネット１１の後端縁１１ａの網目を上記係合ピン１７ａに係合すれば良い。
【００８３】
図１４に示すものは、本発明の他の実施形態であり、図７に示す止水用係合部１６を壁板５の上面５’に設けたものである。尚、図１４において、上記実施形態と同一部分又は対応部分については同一符号を付してそれらの説明は省略する。図１に示すように上記上面５’に小柱６、落下防止杆７が設けられている場合は、同図に示すように止水用係合部１６を壁板５の対向面５”に設けたが、図１３に示すように、地下入口の壁板５の上面に何も存在しない場合は、図１４に示すように、止水用係合杆１８、係合ピン１７ａを上記上面５’上に設け、上記係合杆１８上に押え杆２２を防止シート１５を挟持した状態でボルトＢにて圧着するように構成することができる。このように構成しても、上記の実施形態と同様の効果を得ることができる。
【００８４】
図１５に示すものは、上記補強ネット１１の内側（下側）にさらに補強用のワイヤロープ（ワイヤ）５１を上記壁板５，５間の左右方向に、前後方向の所定間隔毎に張設したものである。このワイヤロープ５１は例えばステンレス鋼製の直径約１６ｍｍのワイヤを用いる。上記開口部側水平止水面１４’においては、図１５（ａ）に示すように、上記係合杆１６’における係合ピン１７ａの下側位置において、ワイヤ係合リング５２を設け、上記ワイヤ５１の両端部に設けた係合リング５１’を上記ワイヤ係合リング５２に係合することで上記壁板５，５間に張設する。
【００８５】
上記通路側垂直止水面１４においては、図１５（ｂ）に示すように、左右両端設立柱２５，２５の対向側面における上記補強ネット１１の後面側において、ワイヤ係合リング５２を設け、上記ワイヤ５１の両端部に設けた係合リング５１’を上記ワイヤ係合リング５２に係合することで上記左右両端設立柱２５，２５間に張設する。
【００８６】
そして、図１３に示すように、上記開口部側水平止水面１４’においては、前後方向に略均等間隔に４本の上記ワイヤ５１を張設し、上記通路側垂直止水面１４においては、上下方向に略均等間隔に２本の上記ワイヤ５１を張設する。
【００８７】
このように構成すると、洪水等によって上記開口部側水平止水面１４’及び通路側垂直止水面１４において冠水により防水シート１５に大きな水圧が作用したとしても、上記防水シート１５の内側（下側）の上記補強ネット１１、及び、さらにその内側（下側）のワイヤ５１にて支持することができるので、大規模な災害等にいて防水シート１５上の水位が上昇したとしても、防水シート１５及び補強ネット１１の水圧による破損等を上記ワイヤ５１により効果的に防止して、より安全な止水装置を実現することができる。
【００８８】
以上のように本発明によれば、地上に設置された地下鉄入口のように、地下入口１の地上開口部２の壁板５の高さを超える水位に到達するような大規模な洪水等が発生しても、地下構内への流水を確実に防止することができるものである。
【００８９】
即ち、地下入口の入口通路３間の垂直面だけではなく、左右壁板５間の水平面を防水シート１５によって止水状態に被覆することができるので、地下入口１の壁板５の高さを超える高い水位の大規模洪水等が発生したとしても、地下構内への流水を確実に防止することができる。
【００９０】
また、防水シート１５の内側面（下面側）に補強ネット１１が位置しているので、左右壁板５間を水平に被覆する防水シート１５上に冠水したとしても、内側の補強ネット１１にて水圧を確実に受け止めることができ、高い防水性を発揮することができる。
【００９１】
また、予め地下入口１の所定位置の防水シート収納箱１３又は補強ネット収納箱１０内に防水シート１５又は補強ネット１１を収納配置しておくことができ、緊急時等においても地下入口１において迅速に止水装置を構成することができる。
【００９２】
また、止水部材と押え部材との圧着により防水シート１５の側縁部を挟持して確実に止水することができる。
【００９３】
また、防水シート１５の上記壁板５間の水平張設面と上記左右両端設立柱２５，２５間の垂直張設面との境界部に補強横杆４６が位置するので、上記防水シート１５の水平及び垂直の張設面を補強することができ、高い防水性を発揮し得る。
【００９４】
また、補強ネットの内側にワイヤを張設することで、より大きな水圧を受け止めることができ、極めて高い防水性を発揮することができる。
【産業上の利用可能性】
【００９５】
本発明の地下入口の止水装置は、地下鉄入口、地下道入口等の地下へ連通する通路の入口において広く適用することができるものである。
【符号の説明】
【００９６】
１                地下入口
２                地上開口部
３                入口通路
３’              地上面
４                階段（地下通路）
５                壁板
５ａ，５ｂ        左右門柱壁板
５ｃ              背面壁板
５”              対向面
１０              補強ネット収納箱
１１              補強ネット
１１ａ            後端縁
１１ｂ            前端縁
１１ｃ            左右側縁
１２              左右方向凹溝
１３              防水シート収納箱
１５              防水シート
１５ａ            後端縁
１５ｂ            前端縁
１５ｃ，１５ｃ    左右側縁
１７ａ，４３      係合ピン
１８              止水用係合杆（止水部材）
２０，３２，４１  弾性体
２２              押え杆（押え部材）
２３，３５，４２  突条
２５，２５        左右両側設立柱（止水部材）
２７ａ            押え柱（押え部材）
２７ｂ            押え横杆（押え部材）
３０              止水用係合横杆（止水部材）
４３’            ピン
４６              補強横杆
５１              ワイヤ（ワイヤロープ）
Ｂ                ボルト（締結手段）
Ｇ                地面
Ｒ                地下通路
Ｑ                壁板の後端部位置
【図１】
0005714447.tif 000002
【図２】
0005714447.tif 000003
【図３】
0005714447.tif 000004
【図４】
0005714447.tif 000005
【図５】
0005714447.tif 000006
【図６】
0005714447.tif 000007
【図７】
0005714447.tif 000008
【図８】
0005714447.tif 000009
【図９】
0005714447.tif 000010
【図１０】
0005714447.tif 000011
【図１１】
0005714447.tif 000012
【図１２】
0005714447.tif 000013
【図１３】
0005714447.tif 000014
【図１４】
0005714447.tif 000015
【図１５】
0005714447.tif 000016